【手続補正書】
【提出日】平成22年1月8日(2010.1.8)
【手続補正１】
【補正対象書類名】特許請求の範囲
【補正対象項目名】請求項５
【補正方法】変更
【補正の内容】
【請求項５】
ネットワークに、端末装置と、この端末装置の制御対象であるネットワーク家電機器と、前記端末装置に対して前記ネットワークを介して前記ネットワーク家電機器を制御するためのサービスを提供するサービスサーバと、前記ネットワークを介して前記ネットワーク家電機器にダイレクトにアクセスするために必要な情報の授受を行うダイレクトアクセス管理サーバとが接続されたネットワークシステムにおいて、前記ネットワーク家電機器で発生したイベントを前記サービスサーバに通知する方法であって、
前記ダイレクトアクセス管理サーバの記憶部に、前記端末装置の識別情報と前記サービスサーバが提供するサービスとの組み合わせに対して割り当てられた制御機器・サービス管理ＩＤと、前記端末装置の制御対象である前記ネットワーク家電機器に割り当てられた被制御機器管理ＩＤとが関連付けて登録された第１の関連リストと、前記イベント識別情報、制御機器・サービス管理ＩＤ、及び前記サービスサーバのアドレス情報が関連付けて登録された第２の関連リストとを記憶しておき、
前記ネットワーク家電機器にて、メッセージ送信部が、イベントが発生したとき、このイベントの種別を識別するイベント識別情報及び自ネットワーク家電機器の機器識別情報を含むメッセージを前記ダイレクトアクセス管理サーバに送信し、
前記ダイレクトアクセス管理サーバにて、イベントメッセージ伝達制御部が、前記記憶部に記憶された前記第１の関連リスト及び前記第２の関連リストと、前記ネットワーク家電機器より受信した前記メッセージに含まれる前記イベント識別情報及び前記機器識別情報をもとに、前記イベントを通知する先の前記サービスサーバのアドレス情報を判定することを特徴とするイベント通知方法。
【手続補正２】
【補正対象書類名】明細書
【補正対象項目名】００１７
【補正方法】変更
【補正の内容】
【００１７】
コンテンツガイド配信サーバ１００は、コンテンツ配信サーバ２００から配信されるコンテンツデータＤ１や放送局３から放送される放送番組などのコンテンツデータＤ２などの放送スケジュール、概要、録画予約のために必要な情報、ダウンロード予約のために必要な情報などを含むコンテンツガイドデータを格納し、ネットワーク１に接続された端末装置５００からのコンテンツガイド取得要求Ｒ２を受信したとき、ネットワーク１を介して端末装置５００にコンテンツガイド取得応答Ｒ３としてコンテンツガイドデータを配信するサーバである。
【手続補正３】
【補正対象書類名】明細書
【補正対象項目名】００６８
【補正方法】変更
【補正の内容】
【００６８】
ネットワーク接続部６０８は、ネットワーク１との接続を処理する。デコード部６０９は、ネットワーク１を介してコンテンツ配信サーバ２００より取得したコンテンツデータ、及び記憶部６１３から読み出された番組のエンコードデータをデコードして、ビデオデータおよびオーディオデータを復元する。復元されたデジタルビデオデータはシステムバス６０２を通じてＡＶインターフェース部６０６に供給され、ＡＶインターフェース部６０６に接続されたテレビジョンなどの外部ＡＶ機器４に出力される。
【手続補正４】
【補正対象書類名】明細書
【補正対象項目名】００８３
【補正方法】変更
【補正の内容】
【００８３】
まず、図６において、端末装置５００のユーザが入力操作部５０５を使ってコンテンツガイド閲覧命令Ｒ１を入力する。このコンテンツガイド閲覧命令Ｒ１が入力されると、端末装置５００内のコンテンツガイドデータ取得部５２１が、ネットワーク１を介してコンテンツガイド配信サーバ１００にコンテンツガイド取得要求Ｒ２を送信する。コンテンツガイド配信サーバ１００は、コンテンツガイド取得要求Ｒ２を受信すると、ネットワーク１を介して端末装置５００にコンテンツガイドデータをコンテンツガイド取得応答Ｒ３として送信する。
【手続補正５】
【補正対象書類名】明細書
【補正対象項目名】００８４
【補正方法】変更
【補正の内容】
【００８４】
端末装置５００内のコンテンツガイドデータ取得部５２１は、コンテンツガイド配信サーバ１００からコンテンツガイド取得応答Ｒ３として送信されてくるコンテンツガイドデータＤ３を受信してコンテンツガイドデータ格納部５２２に格納する。コンテンツガイドデータの取得完了により、端末装置５００内のコンテンツガイド表示処理部５２３は、コンテンツガイドデータ格納部５２２に格納されたコンテンツガイドデータからＥＰＧ表示データＤ４を作成して表示部５０６に出力する。これにより端末装置５００の表示部５０６にコンテンツガイド画面が表示される。
【手続補正６】
【補正対象書類名】明細書
【補正対象項目名】０１１１
【補正方法】変更
【補正の内容】
【０１１１】
次に、イベントメッセージ伝達制御部４０５は、イベント関連リスト４１３を参照して、受信されたメッセージＲ２９に含まれるイベントＩＤに関連するサービスＩＤを取得する（Ｓ７）。続いてイベントメッセージ伝達制御部４０５は、Ｓ６で取得した制御機器・サービス管理ＩＤとＳ７で取得したサービスＩＤとをもとに機器ＩＤ関連リスト４１２を参照して、メッセージの通知先のサービスサーバ３００のアドレス情報を判定する（Ｓ８）。
【手続補正７】
【補正対象書類名】明細書
【補正対象項目名】０１１２
【補正方法】変更
【補正の内容】
【０１１２】
この動作の具体例を、図９に示す管理ＩＤ関連リスト４１１、図１０に示す機器ＩＤ関連リスト４１２、及び図１１に示すイベント関連リスト４１３の各例を用いて説明する。
【手続補正８】
【補正対象書類名】明細書
【補正対象項目名】０１２２
【補正方法】変更
【補正の内容】
【０１２２】
図１３の１２は、ネットワーク家電機器６００のイベント検出部６２７にて、「他人による予約取消」というイベント１２ａが検出された場合の例である。この「他人による予約取消」とは、ネットワーク家電機器６００を端末装置５００−１のユーザを含む複数のユーザにより利用可能とした場合に、端末装置５００−１のユーザ以外のユーザによってネットワーク家電機器６００のリモート録画予約やネットワーク家電機器６００を直接操作することによっての録画予約が行われた場合を言う。「他人による予約取消」のイベント１２ａが検出されたならば、ネットワーク家電機器６００から端末装置５００−１に、その他人による予約取消に関するアラートがメッセージ１２ｂとして通知され、端末装置５００−１はそのメッセージ１２ｂを受けると、表示部５０６などにその他人による予約取消に関するアラート通知を表示する（１２ｃ）。端末装置５００−１のユーザはこれを確認したならば、入力操作部５０５を使って、その取り消された録画予約を再度行うようにリモート録画予約の要求１２ｄを入力する。ネットワーク家電機器６００は、先と同様に、このリモート録画予約の要求１２ｄを受けて、録画予約を取り消された番組のリモート録画予約のための処理１２ｅを実行する。
【手続補正９】
【補正対象書類名】明細書
【補正対象項目名】０１２５
【補正方法】変更
【補正の内容】
【０１２５】
図１３の１５は、ネットワーク家電機器６００のイベント検出部６２７にて、「チューナ不足により予約番組を録画不可」というイベント１５ａが検出された場合の例である。このイベント１５ａは、録画予約が指定された番組の放送を受信するためのチューナが他の番組の録画などで使用されているがために録画が不可であることを意味する。このイベント１５ａが検出された場合には、ネットワーク家電機器６００から、ワンセグ放送を受信可能な別の端末装置（ワンセグ端末）５００−２に、録画予約のために必要な情報を含むリモート録画予約要求がメッセージ１５ｂとして送信され、端末装置５００−２はそのメッセージ１５ｂを受けると、リモート録画予約のための処理（１５ｃ）を実行する。
【手続補正１０】
【補正対象書類名】明細書
【補正対象項目名】０１２９
【補正方法】変更
【補正の内容】
【０１２９】
さらに、「チューナ不足により予約番組を録画不可」のイベント１５ａのイベントＩＤを別の機器へのリモート録画予約を行うサービスサーバ３００−４のアドレス情報と関連付けてイベント関連リスト４１３に登録しておくことで、「チューナ不足により予約番組を録画不可」のメッセージ１５ｂはそれぞれサービスサーバ３００−４に送信され、このサービスサーバ３００−４から別の端末装置５００−２に送信される。